(57)【要約】【課題】バンドの固着具の遊技盤への圧入適正化を図る。【解決手段】プレス可動台２に設けられたバンドチャック機構１におけるチャックシリンダー１３のピストンロッドが下降すると、チャックアーム２１の下部が昇降ロッド１５およびリンクプレート１７を介してアーム軸１９を中心として互いに近づく方向に移動してバンド本体支持部２２がバンド本体の固着具結合部分を支持する一方、固着具支持部２３が固着具のバンド本体結合部分を支持し、その状態において、プレス可動台２が下降するのに伴い、バンドチャック機構１が固着具を遊技盤に圧入する。【選択図】　　　　図１
2004000330.tif 000002
【特許請求の範囲】
【請求項１】
遊技盤に遊技領域を形成する帯状のバンド本体と固着具とからなるバンドを取り付ける遊技機製造設備のバンドプレス装置において、固着具のバンド本体と結合された上部を支持して遊技盤に圧入するバンドチャック機構を備えたことを特徴とする遊技機製造設備のバンドプレス装置。
【請求項２】
バンドチャック機構のチャックアームに固着具支持部を備えたことを特徴とする請求項１記載の遊技機製造設備のバンドプレス装置。
【請求項３】
チャックアームにバンド本体支持部を備えたことを特徴とする請求項２記載の遊技機製造設備のバンドプレス装置。
【請求項４】
チャックアームを開閉可能に支持するチャックベースにバンド防振体を備えたことを特徴とする請求項２記載の遊技機製造設備のバンドプレス装置。
【請求項５】
バンドチャック機構がプレス可動台に上下移動可能に取り付けられたシリンダーベースと、シリンダーベースに取り付けられたチャックシリンダーと、シリンダーベースにガイドロッドを介して固定されたチャックベースと、チャックベースに回転可能に取り付けられるとともにチャックシリンダーで開閉動作されるチャックアームと、チャックベースおよびシリンダーベースの一体的な上昇でプレス可動台に接触する緩衝体と、シリンダーベースに取り付けられてプレス可動台に対するシリンダーベースの離間距離を設定するストッパーとを備えたことを特徴とする請求項１記載の遊技機製造設備のバンドプレス装置。
【請求項６】
チャックシリンダーのシリンダーロッドとチャックアームの昇降ロッドとを心出調整具で連結したことを特徴とする請求項５記載の遊技機製造設備のバンドプレス装置。
【発明の詳細な説明】
【０００１】
【発明の属する技術分野】
本発明は、パチンコ機のような球を遊技媒体として使用する遊技機を製造する設備において、遊技盤に遊技領域を形成するバンドを取り付けるバンドプレス装置に関する。
【０００２】
【従来の技術】
図９は特開平６−３４３７３９号公報で開示されたバンド取付装置を示し、バンド１５１の搭載されたバンドパレット１５２からバンド１５１を１本ずつ取り出して所定の弧状に成形した後にバンド１５１に設けられた図外の固着具を遊技盤１５３の意匠盤面から内部に圧入して、バンド１５１を遊技盤１５３に取り付けるようになっている。図９中の符号１５４はバンド供給装置、符号１５５はバンド成形装置、１５６はバンドプレレス装置である。
【０００３】
【発明が解決しようとする課題】
しかしながら、前記従来例はバンド１５１の帯状のバンド本体をバンドチャック機構で支持してバンド１５１の固着具を遊技盤１５３に圧入する構造であるため、バンドの固着具が曲がり易いという問題点があった。
【０００４】
そこで、本発明はバンドの固着具を遊技盤に適切に圧入することができるバンドプレス装置を提供するものである。
【０００５】
【課題を解決するための手段】
本発明にあっては、遊技盤に遊技領域を形成する帯状のバンド本体と固着具とからなるバンドを取り付ける遊技機製造設備のバンドプレス装置において、固着具のバンド本体と結合された上部を支持して遊技盤に圧入するバンドチャック機構を備えたことによって、バンドチャック機構で固着具のバンド本体と結合された上部を支持して固着具を遊技盤に圧入するので、固着具を遊技盤に曲ることなく適切に圧入することができる。また、本発明にあっては、バンドチャック機構のチャックアームに固着具支持部を備えれば、チャックアームが固着具の上部を適切に支持することができる。また、本発明にあっては、チャックアームにバンド本体支持部を備えれば、固着具支持部とバンド本体支持部との双方で固着具に対する支持姿勢を確保することができる。また、本発明にあっては、チャックアームを開閉可能に支持するチャックベースにバンド防振体を備えれば、固着具支持部とバンド防振体との双方でバンド本体の振れを防ぎつつ固着具に対する支持姿勢を確保することができる。また、本発明にあっては、バンドチャック機構がプレス可動台に上下移動可能に取り付けられたシリンダーベースと、シリンダーベースに取り付けられたチャックシリンダーと、シリンダーベースにガイドロッドを介して固定されたチャックベースと、チャックベースに回転可能に取り付けられるとともにチャックシリンダーで開閉動作されるチャックアームと、チャックベースおよびシリンダーベースの一体的な上昇でプレス可動台に接触する緩衝体と、シリンダーベースに取り付けられてプレス可動台に対するシリンダーベースの離間距離を設定するストッパーとを備えれば、チャックアームが固着具を支持した後、プレス可動台が下降する過程において、チャックアームが遊技盤からバンドを経由して上向きの負荷を受けることで、チャックベースがプレス可動台に対しせり上がり、緩衝体がプレス可動台に接触した後、緩衝体が遊技盤からの負荷とプレス可動台の下降とによる相反する方向の力を緩衝するように撓むことよって、チャックアームで支持された固着具が遊技盤に曲ることなく適切に圧入される。また、本発明にあっては、チャックシリンダーのシリンダーロッドとチャックアームの昇降ロッドとを心出調整具で連結すれば、チャックシリンダーのピストンロッドの中心と昇降ロッドの中心とが１つの平面内で横方向に多少ずれたとしても、心出調整具によって上記ピストンロッドの中心と昇降ロッドの中心との位置ずれを吸収し、ピストンロッドの昇降動力が昇降ロッドに適切に伝達し、昇降ロッドがチャックアームを適切に開閉することができる。
【０００６】
【発明の実施の形態】
図１から図８は一実施形態であって、図１はバンドチャック機構１の外観を示し、図２はバンドチャック機構１の正面を一部破断して示し、図３はバンドチャック機構１のチャック形態と解放形態とを模式的に示し、図４はバンドチャック機構１で固着具３７が遊技盤４２に圧入される形態を示し、図５はバンドプレス装置５０の正面を示し、図６はバンドプレス装置５０を分解した外観を示し、図７はプレス可動機構５５のプレス可動台２に対する外バンド３８と外バンドチャック機構６７と内バンド３９と内バンドチャック機構６８それぞれの配置関係を示し、図８はバンドプレス装置５０の動作を模式的に示す。
【０００７】
図１を参照し、バンドチャック機構１について説明する。バンドチャック機構１はプレス可動台２の上に止ねじ３で取り付けたブラケット４を備える。ブラケット４およびプレス可動台２には複数のガイドロッド５が上下方向に移動可能に装着され、ガイドロッド５のブラケット４よりも上方に突出した上端にはシリンダーベース６がナット７で固定され、ガイドロッド５のプレス可動台２よりも下方に突出した下端にはチャックベース８が止ねじ９で固定された形態である。シリンダーベース６にはストッパー１０が下方に向けて突出するように取り付けられストッパー１０の下端がブラケット４の上面に受け止められることによって、シリンダーベース６とブラケット４との上下方向の間隔が所定寸法に確保される。
【０００８】
ストッパー１０の上端部はシリンダーベース６からの突出量を調整可能に取り付けられる。例えば、ストッパー１０の上端部に形成された図外の雄ねじにナットを装着し、ナットよりも上方に突出した雄ねじがシリンダーベース６に形成されたねじ孔（雌ねじの形成された孔）に装着され、ストッパー１０のシリンダーベース６からの突出量を調整した後、ストッパー１０とシリンダーベース６との回転が阻止されたまま、ナットが締結操作されてシリンダーベース６の下面に接触することによって、上記調整されたストッパー１０のシリンダーベース６からの突出量が固定される。ストッパー１０の下端にはウレタンゴムのような消音体１１を備える。ストッパー１０がシリンダーベース６とブラケット４との上下方向の間隔を所定寸法に確保する場合に、消音体１１がブラケット４の上面に接触してストッパー１０とブラケット４との衝突音の発生を防止する。
【０００９】
ガイドロッド５におけるプレス可動台２とベース上部１６との間の部分にはウレタンゴムのような緩衝体１２が装着される。シリンダーベース６の上にはチャックシリンダー１３が取り付けられ、チャックシリンダー１３の図２のピストンロッド１４に連結した昇降ロッド１５がブラケット４、プレス可動台２、チャックベース８におけるベース上部１６を上下移動可能に貫通し、ピストンロッド１４のベース上部１６よりも下方に突出した下端には一対のリンクプレート１７の上端がロッド軸１８で同軸状に取り付けられ、リンクプレート１７における各々の下端にはチャックベース８にアーム軸１９で取り付けられた一対のチャックアーム２１における上端の各々がリンク軸２０で個別に連結される。チャックアーム２１の下部には平坦面であるバンド本体支持部２２と凹状な固着具支持部２３とが互いに向き合うように形成される。
【００１０】
そして、チャックシリンダー１３のピストンロッド１４が下降すると、チャックアーム２１の下部が昇降ロッド１５およびリンクプレート１７を介してアーム軸１９を中心として互いに近づく方向に移動し、図３に実線で示すように、チャックアーム２１のバンド本体支持部２２がバンド３５におけるバンド本体３６の固着具３７と結合する下部を抱え持つように両側から挟む格好で支持する一方、チャックアーム２１の固着具支持部２３がバンド３５における固着具３７のバンド本体３６と結合する上部を抱え持つように両側から挟む格好で支持する。チャックシリンダー１３のピストンロッド１４が上昇すると、図３に仮想線で示すように、チャックアーム２１の先端部はアーム軸１９を中心として互いに離れる方向に移動して上記バンド３５に対する支持を解放する。
【００１１】
チャックベース８にはバンド防振体２４が固定的に取り付けられる。バンド防振体２４はチャックベース８よりも下方に突出した下端部にバンド本体３６を非接触に取り込む逃溝２５を備える。バンド防振体２４のチャックベース８よりも上方に突出した上端部には昇降ロッド１５の下降限度位置を調整するボルトのような下降位置調整具Ａが装着される。下降位置調整具Ａは雄ねじ部がバンド防振体２４の上端部の上面から内部に形成された図外のねじ孔（雌ねじの形成された孔）にねじ嵌合される。当該ねじ孔に対する雄ねじ部の嵌合量が調整された状態において、バンド防振体２４の上端部の前面から内部にねじ嵌合されたセットスクリューのような固定具Ｂが締結されることによって、固定具Ｂの先端部がバンド防振体２４の内部にねじ嵌合された下降位置調整具Ａを上下方向に移動しないようにバンド防振体２４に固定させる。このように下降位置調整具Ａがバンド防振体２４に固定された状態において、チャックシリンダー１３で昇降ロッド１５が下降する過程において下降位置調整具Ａで受け止められることによって、前記バンド３５に対するチャックアーム２１の支持力が調整される。つまり、チャックアーム２１のバンド本体支持部２２がバンド３５におけるバンド本体３６の固着具３７と結合する下部を締め過ぎることのないように適切に支持し、チャックアーム２１の固着具支持部２３がバンド３５における固着具３７のバンド本体３６と結合する上部を締め過ぎることのないように適切に支持することができる。
【００１２】
図２にも示すように、昇降ロッド１５とガイドロッド５とが互いにブラケット４に軸受２６；２７で上下移動可能に装着されたことから、ピストンロッド１４と昇降ロッド１５との間には心出調整具２８を設け、心出調整具２８の上部にはピストンロッド１４が結合され、心出調整具２８の下部には昇降ロッド１５に締結したボルトのような連結具２９がピストンロッド１４の軸心と直交する平面内に移動可能に連結される。具体的には、ピストンロッド１４の下端部に形成された雄ねじにはナット３０が装着され、ナット３０よりも下方に突出した雄ねじが心出調整具２８に形成されたねじ孔（雌ねじの形成された孔）に装着され、ピストンロッド１４と心出調整具２８との連結量が調整された後、ピストンロッド１４と心出調整具２８との回転が阻止されたまま、ナット３０が締結操作されて心出調整具２８の上面に接触することによって、上記調整されたピストンロッド１４と心出調整具２８との連結量が固定される。
【００１３】
連結具２９の上部に形成された頭部３１が心出調整具２８に形成された横溝３２に上記平面内で移動可能に挿入されたことによって、昇降ロッド１５とガイドロッド５とが互いにブラケット４に軸受２６；２７で心出しされた状態で適切に上下移動可能となる。また、心出調整具２８の横溝３２よりも幅の狭いスリット３３よりも下方に突出した連結具２９の下端部に形成された雄ねじにはナット３４が装着され、ナット３４よりも下方に突出した雄ねじが昇降ロッド１５に形成されたねじ孔に装着され、連結具２９と心出調整具２８との連結量が調整された後、連結具２９と心出調整具２８との回転が阻止されたまま、ナット３４が締結操作されて昇降ロッド１５の上面に接触することによって、上記調整された連結具２９と心出調整具２８との連結量が固定される。
【００１４】
よって、ピストンロッド１４の中心と昇降ロッド１５の中心とが上記平面内で横方向に多少ずれたとしても、心出調整具２８の横溝３２と連結具２９の頭部３１との間に形成された環状の隙間、心出調整具２８のスリット３３と連結具２９の下端部との間に形成された環状の隙間によって、上記ピストンロッド１４の中心と昇降ロッド１５の中心との位置ずれを吸収し、ピストンロッド１４の昇降動力が昇降ロッド１５に適切に伝達し、昇降ロッド１５が軸受２６で案内されつつ適切に昇降される。
【００１５】
図５から図８を参照し、前記バンドチャック機構１を外バンドチャック機構６７と内バンドチャック機構６８として用いたバンドプレス装置５０について説明する。バンドプレス装置５０は土台となる装置本体５１に搬送機構５２、昇降機構５３、プレス固定台５４、プレス可動機構５５、位置決定機構５６、プッシャ機構５７および遊技盤ストッパー５８を備える。搬送機構５２は複数の駆動ローラからなる搬送体５９を相対峙して一対に備え、搬送体５９が一方向に搬送駆動するように図８に示す遊技盤搬入側の搬送体４５と同一速度で回転駆動して搬送体５９の上に供給搭載された遊技盤４２を一方向（図５の紙面の表裏方向）に搬送する。
【００１６】
昇降機構５３は搬送機構５２を昇降するものであって、装置本体５１の上下方向中間部に固定的に設けられたエアシリンダーのような昇降駆動源６０を備え、昇降駆動源６０におけるピストンロッドのような昇降体６１を搬送機構５２における搬送体５９の組み付けられた搬送骨格体６２に結合した形態である。そして、昇降体６１が昇降駆動源６０で上昇すると、搬送体５９の遊技盤搬送部分である上面が実線で示す下降限度位置から仮想線で示すようにプレス固定台５４の遊技盤搭載部分である上面よりも上方に位置し、昇降体６１が昇降駆動源６０で下降すると、搬送体５９の上面が仮想線で示す上昇限度位置から実線で示すようにプレス固定台５４の上面よりも下方に位置する。
【００１７】
プレス固定台５４は装置本体５１の上下方向の中間部に固定的に設けられていて、昇降駆動源６０で下降する搬送機構５２から遊技盤４２を受け取り、昇降駆動源６０で上昇する搬送機構５２に遊技盤４２を受け渡す部材である。搬送機構５２よりも外側に配置されたプレス固定台５４には搬送機構５２で搬送される遊技盤４２を搬送方向に案内する搬送ガイド６３を備える。
【００１８】
プレス可動機構５５は搬送機構５２からプレス固定台５４に受け取られた遊技盤４２に対しバンド３５を押し下げてバンド３５の固着具３７を遊技盤４２に圧入する機構であって、装置本体５１の上部に固定的に設けられたエアシリンダーのようなプレス可動駆動源６４と、プレス可動駆動源６４におけるピストンロッドのようなプレス出力体６５に設けられたプレス可動台２と、図７にも示すように、プレス可動台２に取り付けられて外バンド３８の固着具４０を押し下げる外バンドチャック機構６７と、プレス可動台２に取り付けられて内バンド３９の固着具４１を押し下げる内バンドチャック機構６８とを備える。プレス出力体６５がプレス可動駆動源６４で昇降すると、プレス可動台２は装置本体５１に設けられた図示しない複数の可動ガイドで左右に回転しないように直線的に昇降するように案内される。
【００１９】
プレス可動台２が可動ガイドで上下方向に直線的に案内されることから、プレス可動駆動源６４のプレス出力体６５とプレス可動台２との間には心出調整具６９を設け、心出調整具６９の上部にはプレス出力体６５が結合され、心出調整具６９の下部にはプレス可動台２に締結したボルトのような連結具７０がプレス出力体６５の軸心と直交する平面内に移動可能に連結される。具体的には、プレス出力体６５の下端部に形成された雄ねじにはナット７１が装着され、ナット７１よりも下方に突出した雄ねじが心出調整具６９に形成されたねじ孔（雌ねじの形成された孔）に装着され、プレス出力体６５と心出調整具６９との連結量が調整された後、プレス出力体６５と心出調整具６９との回転が阻止されたまま、ナット７１が締結操作されて心出調整具６９の上面に接触することによって、上記調整されたプレス出力体６５と心出調整具６９との連結量が固定される。連結具７０の上部に形成された頭部７２が心出調整具６９に形成された横溝７３に上記平面内で移動可能に挿入されたことによって、プレス出力体６５とプレス可動台２とが互いに可動ガイドで上下移動可能に心出しされた状態で適切に上下移動可能となる。
【００２０】
また、連結具７０の横溝７３よりも幅の狭いスリット７４よりも下方に突出した下端部に形成された雄ねじにはナット７５が装着され、ナット７５よりも下方に突出した雄ねじがプレス可動台２に取り付けられたブラケット７６に形成されたねじ孔に装着され、連結具７０と心出調整具６９との連結量が調整された後、連結具７０と心出調整具６９との回転が阻止されたまま、ナット７５が締結操作されてブラケット７６の上面に接触されることによって、上記調整された連結具７０と心出調整具６９との連結量が固定される。よって、プレス出力体６５の中心と連結具７０の中心とが上記平面内で横方向に多少ずれたとしても、心出調整具６９の横溝７３と連結具７０の頭部７２との間に形成された環状の隙間、心出調整具６９のスリット７４と連結具７０の下端部との間に形成された環状の隙間によって、上記プレス出力体６５の中心と連結具７０の中心との位置ずれを吸収し、プレス出力体６５の昇降動力がプレス可動台２に適切に伝達し、プレス可動台２が可動ガイドで案内されつつ適切に昇降される。
【００２１】
プレス可動駆動源６４はプレス可動台２を上昇限度位置とチャック位置および下降限度位置の３つの位置に停止するように昇降する。上昇限度位置は外バンドチャック機構６７および内バンドチャック機構６８が搬送機構５２で搬送される遊技盤４２や外バンド３８および内バンド３９と干渉しない位置であり、チャック位置はプレス固定台５４に搭載された遊技盤４２の上における外バンド３８の固着具４０と内バンド３９の固着具４１とを支持する位置であり、下降限度位置は外バンドチャック機構６７および内バンドチャック機構６８で支持された外バンド３８の固着具４０と内バンド３９の固着具４１との遊技盤４２への押し込みが完了する位置である。
【００２２】
位置決定機構５６はプレス可動台２に対し遊技盤４２を位置決めする機構であって、装置本体５１の上部に取り付けられたエアシリンダーのような位置決定駆動源７７と、位置決定駆動源７７におけるピストンロッドのような図外の位置決定出力体に設けられた棒状の位置決定体７８とを備え、位置決定駆動源７７の下降動作で位置決定体７８をプレス固定台５４に搭載された遊技盤４２の基準孔４３に挿入し、位置決定駆動源７７の上昇動作で位置決定体７８をプレス固定台５４に搭載された遊技盤４２の基準孔４３から引き抜く。
【００２３】
プッシャ機構５７は装置本体５１の上部に取り付けられたエアシリンダーのようなプッシャ駆動源７９と、プッシャ駆動源７９におけるピストンロッドのようなプッシャ出力体に設けられた緩衝材からなる受止体８０とを備え、位置決定機構５６の位置決定体７８が遊技盤４２から抜かれる以前に、プッシャ駆動源７９の下降動作で受止体８０が遊技盤４２の上面に接触し、位置決定体７８が遊技盤４２から抜かれた以後に、プッシャ駆動源７９の上昇動作で受止体８０が遊技盤４２の上面から離れる。遊技盤ストッパー５８は装置本体５１の上下方向中間部に設けられた図外のエアシリンダーのようなストッパー駆動源で昇降する。
【００２４】
図６にも示すように、バンドプレス装置５０に搬送されてくる遊技盤４２には前工程で外バンド３８における固着具４０の先端部と内バンド３９における固着具４１の先端部が挿入されて外バンド３８と内バンド３９とが仮固定されているとともに、ハート４６が内バンド３９における固着具４１の２本で位置決めされた形態になっている。
【００２５】
図８を参照し、バンドプレス装置５０の動作について説明する。図８のａ図に示すように、搬送体５９の上面がプレス固定台５４の上面よりも上方に突出した上昇限度位置に存在する状態において、搬送体５９がバンドプレス装置５０の前工程であるハート・内バンド挿入エリア４４の搬送体４５から前記外バンド３８や内バンド３９に相当するバンド３５および図外のハートの仮固定された遊技盤４２を受け取った後、遊技盤ストッパー５８が下降限度位置から上昇して上昇限度位置に停止する過程で搬送体５９よりも上方に突出し、搬送体５９で搬送されてくる遊技盤４２の搬送方向先端面に接触して遊技盤４２をプレス固定台５４の真上に停止する。その後、図８のｂ図に示すように、搬送体５９が回転を停止するとともに下降し、搬送体５９の上面がプレス固定台５４の上面よりも下となる下降限度位置で、搬送体５９の下降が停止する。この搬送体５９の下降によって、遊技盤ストッパー５８で受け止められた遊技盤４２が搬送体５９から浮上してプレス固定台５４の上に搭載される。その後、遊技盤ストッパー５８が上昇限度位置から下降して下降限度位置に停止して遊技盤４２に対する受け止めを解放する。
【００２６】
その状態において、図８のｃ図に示すように、位置決定機構５６の位置決定体７８が上昇限度位置から下降して下降限度位置に停止する過程でプレス固定台５４の上に搭載された遊技盤４２における基準孔４３のそれぞれに挿入されて、遊技盤４２とプレス固定台５４およびプレス可動台２との位置が合わせられる。その後、図８のｄ図に示すように、プレス可動台２が上昇限度位置から下降してチャック位置に停止した後、前記外バンドチャック機構６７および内バンドチャック機構６８に相当するバンドチャック機構１におけるチャックアーム２１がプレス可動台２に設けられた図１のチャックシリンダー１３で固着具３７のバンド本体３６と結合している上部（バンド本体結合部分）を抱え持つような格好で支持する。
【００２７】
次に、図８のｅ図に示すように、バンドチャック機構１のチャックアーム２１が固着具３７の上部を支持したまま、プレス可動台２がチャック位置から下降して下降限度位置に停止する過程において、バンドチャック機構１のチャックアーム２１が固着具３７の上部を押し下げて固着具３７を遊技盤４２に圧入する。この場合、仮固定されたバンド３５の固着具３７のほぼ全部（固着具３７のバンド本体３６と結合している部分は遊技盤４２より外側に突出するので、ほぼ全部は当該固着具３７のバンド本体３６と結合している部分を除いた部分を意味する）が当該遊技盤４２に押し込むように圧入されることで抜けないように完璧に固定される。これによって、バンド３５の固着具３７が遊技盤４２に完全に固定し、図外のハートがバンド３５のバンド本体３６と遊技盤４２との間に挟まれるとともに、バンド３５のバンド本体３６が遊技盤４２の意匠盤面に接触した格好で、意匠盤面から垂直状に立ち上がった格好で、バンド３５およびハートが遊技盤４２に取り付けられる。
【００２８】
前記図８のｅ図におけるバンドチャック機構１でバンド３５の固着具３７を遊技盤４２に圧入する過程の動作について図４を用いて詳述する。図４に示すように、チャックアーム２１がバンド本体３６の固着具結合部分および固着具３７のバンド本体結合部分を支持した後、プレス可動台２がプレス可動駆動源６４でチャック位置から下降限度位置に向けて下降する過程において、チャックアーム２１が遊技盤４２からバンド３５を経由して上向きの負荷を受けることで、チャックベース８がプレス可動台２に対しせり上がり、緩衝体１２がプレス可動台２に接触した後、緩衝体１２が遊技盤４２からの負荷とプレス可動台２の下降とによる相反する方向の力を緩衝するように撓む。これによって、チャックアーム２１で支持された固着具３７が遊技盤４２に曲ることなく適切に圧入される。
【００２９】
その後、図８のｆ図に示すように、バンドチャック機構１におけるチャック駆動源でチャックアーム２１が固着具３７に対する支持を解放し、プレス可動台２が下降限度位置から上昇して上昇限度位置に停止し、プッシャ機構５７の受止体８０が上昇限度位置から下降して下降限度位置に停止する過程で遊技盤４２の上面に接触し、位置決定機構５６の位置決定体７８が下降限度位置から上昇して上昇限度位置に停止する過程で遊技盤４２から引き抜かれた後、プッシャ機構５７の受止体８０が下降限度位置から上昇して上昇限度位置に停止する。
【００３０】
最後に、図８のｇ図に示すように、搬送体５９が下降限度位置から上昇して上昇限度位置に停止する過程において、搬送体５９がバンドおよび図外のハートの固定された遊技盤４２をプレス固定台５４から浮上支持する。そして、搬送体５９の遊技盤４２を搬送する部分が搬送体４５の遊技盤４２を搬送する部分と同じ高さの上昇限度位置に停止すると、搬送体５９が一方向に回転駆動する。これによって、遊技盤４２が図５のバンドプレス装置５０から次の工程に搬出される。
【図面の簡単な説明】
【図１】一実施形態のバンドチャック機構を示す斜視図。
【図２】同実施形態のバンドチャック機構を示す正面図。
【図３】同実施形態のバンドチャック機構の動作を示す正面図。
【図４】同実施形態の固着具圧入工程を示す正面図。
【図５】同実施形態のバンドプレス装置を示す正面図。
【図６】同実施形態のバンドプレス装置を示す分解斜視図。
【図７】同実施形態のプレス可動台を示す平面図。
【図８】同実施形態のバンド取り付けを示す工程図。
【図９】従来例を示す模式図。
【符号の説明】
１　バンドチャック機構、２　プレス可動台、５　ガイドロッド、
６　シリンダーベース、８　チャックベース、１０　ストッパー、
１２　緩衝体、１３　チャックシリンダー、１５　昇降ロッド、
２１　チャックアーム、２２　バンド本体支持部、２３　固着具支持部、
２４　バンド防振体、２８　心出調整具、３５　バンド、３６　バンド本体、
３７　固着具、４２　遊技盤、５０　バンドプレス装置。
【図１】
2004000330.tif 000003
【図２】
2004000330.tif 000004
【図３】
2004000330.tif 000005
【図４】
2004000330.tif 000006
【図５】
2004000330.tif 000007
【図６】
2004000330.tif 000008
【図７】
2004000330.tif 000009
【図８】
2004000330.tif 000010
【図９】
2004000330.tif 000011